(57)【要約】本発明の改良式簡易テントは、骨格及び骨格外面を覆う遮蔽布を含み、その骨組みは、傘型ブラケットとアンフォールデイングブラケットを含む。傘型ブラケットは、上部センター頭部（１）と上部センター頭部を囲みそれらとヒンジ結合する遮蔽布支持ストリップ（３）からなる。ここでアンフォールデイングブラケットは、下部センター頭部（２）と下部センター頭部を囲みそれらとヒンジ結合するアンフォールデイング支持ストリップ（４）からなる。各アンフォールデイング支持ストリップ（４）の外端は、遮蔽布支持ストリップの上部とヒンジ結合する。上部センター頭部を、下部センター頭部に向けて、移動可能にさせるロープ牽引機構が、上部と下部のセンター頭部間に設置される。スルーホール（22）が、下部センター頭部の側壁に設置される。ロープ牽引機構のロープ牽引末端は、上部及び下部センター頭部の端から端までを通過し、そして、下部センター頭部の側壁のスルーホール（２２）から出ていく。本発明のテントは、身長の制限なく、折りたたみそして開放でき、そして大変省力でたやすく操作できる。【選択図】図１
2015518099.tif 000002
【特許請求の範囲】
【請求項１】
改良式簡易テントは、骨格及び骨格外面を覆う遮蔽布を含み、その骨組みは、傘型ブラケットとアンフォールデイグブラケット含み、前記傘型ブラケットは、上部センター頭部（１）と該上部センター頭部を囲みそれらとヒンジ結合する遮蔽布支持ストリップ（３）からなり、前記アンフォールデイグブラケットは、下部センター頭部（２）と下部センター頭部を囲みそれらとヒンジ結合するアンフォールデイング支持ストリップ（４）からなり、前記各アンフォールデイング支持ストリップ（４）の外端は、遮蔽布支持ストリップの上部とヒンジ結合し、前記上部センター頭部を、前記下部センター頭部に向けて、移動可能にさせるロープ牽引機構が、上部と下部のセンター頭部間に設置されている、改良式簡易テントであって、スルーホール（２２）が、下部センター頭部の側壁に設置され、ロープ牽引機構のロープ牽引末端が、上部及び下部センター頭部の端から端までを通過し、そして、下部センター頭部の側壁のスルーホール（２２）から出ていくことを特徴とする改良式簡易テント。
【請求項２】
請求項１に記載の改良式簡易テントであって、下部センター頭部の中心にスクロールホイール（２１）を設置し、前記ロープ牽引機構の端で上部センター頭部内に固定され、もう一方の端に上部センタ頭部の下部に着た後、更に次の下部センター頭部の上部を抜けて、再度スクロールホイールを迂回し、この後下部センター頭部の側壁のスルーホールから出ていくことを特徴とする改良式簡易テント。
【請求項３】
請求項１に記載の改良式簡易テントであって、下部センター頭部の中心にスクロールホイール（２１）を設置し、上部センター頭部内のロープの動滑車を迂回し、ロープ牽引機構のロープ牽引末端の一端を下部センター頭部上に固定し、もう一つの端を上部センター頭部の内の動滑車に迂回した後、再び上部センター頭部の下部に下向きで通過し、また下部センター頭部の上部を通過した後再びスクロールホイールを迂回し、最後に下部センター頭部の側壁のスルーホールから出ていくことを特徴とする改良式簡易テント。
【請求項４】
請求項３に記載の改良式簡易テントであって、上部センター頭部の内にロープの動滑車と別々の二つの動滑り輪のロープを迂回し、前記ロープ一端を下部センター頭部上に固定し、もう一方の端を上部センター頭部内の動滑車を上向きに迂回し、再び上部センター頭部の下を通過し、また下部センター頭部の上部のスクロールホイールを迂回し後、下部センター頭部の側壁のスルーホールから出ていく、ことを特徴とする改良式簡易テント。
【請求項５】
請求項４に記載の改良式簡易テントであって、下部センター頭部の側壁上に相対的な二つのスルーホールと２つのスクロールホイールを設置し、前記ロープの一端を下部センター頭部上に固定し、一方の端に上部センター頭部内の動滑車を迂回し、また上部センター頭部の下部に下向きで通過し、また下部センター頭部の上部に通った後に、二つ方向に別れてそれぞれをスクロールホイールに通過し、下部センター頭部の側壁上の各１つのスルーホールから出ていくことを特徴とする改良式簡易テント。
【請求項６】
請求項１〜５いずれかに記載の改良式簡易テントであって、下部センター頭部の下部は下向きに伸びた握持部を備え、前記握持部の外周部にリング状の凸起を設置されたことを特徴とする改良式簡易テント。
【請求項７】
請求項１〜５いずれかに記載の改良式簡易テントであって、上部センター頭部の底で下向きの凸頭を設置し、下部センター頭部の上蓋に同じ凸頭様アダプタの凹槽を設置されたことを特徴とする改良式簡易テント。
【請求項８】
請求項１に記載の改良式簡易テントであって、下部センター頭部の中心にスライドレールロープを設置し、前記ロープ牽引機構のロープ牽引端部は上部センター頭部の内部に固定され、一方の端は上部センター頭部の下部に着た後に、更に下部センター頭部の上部に通った後、またこのロープをスライドレールに迂回し、その後下部センター頭部の側壁のスルーホールからでていくことを特徴とする改良式簡易テント。
【発明の詳細な説明】
【技術分野】
【０００１】
本発明は一種の簡易テントの改良構造に関わる。
【背景技術】
【０００２】
既存のテントは簡易の折りたたみ式構造を採用し、類似傘の骨格原理を利用し、例えば中国特許番号02278921.9により中国で特許公表された一種類のテントの構造、テントの骨格及びテント骨格外面のテント布を含み、テントの骨組みはテントを広げた傘型の骨格と傘形タープ骨上部の内側に傘を広げた骨組みを広げスタンドから構成し、述べた傘型骨組みとは、上部センター頭部の間と均等に上部センター頭部の週りに連結のテントの支える条から構成し、広げステントはその間の下部センター頭部と均等下部センター頭部径上向きの方向にし、それに連結の支え条から構成して、各支え条の外端とテントの支える条の上部に連結し、述べた，上、下部センター頭部の内部に引き縄を設置と動滑りの構造、ユーザーが上部センター頭部に引き縄を引く時とこの装置が折り畳み式の傘のよう自分の思うようになる、だが、このテントの構造の中の引き縄で上部センター頭部に設置され、なので体が小さいユーザーや子供にとって、その腕の最大の伸びの高さが有限と腕を伸ばす最も長い時に依然として全体のテントは開かないので操作が不便。更に例えば中国特許番号200480044282.Xにより特許公表されたもう一つの簡易テント、骨格及び覆われている骨格外面の遮蔽布を含み、前記の骨格と同様に傘を広げラックとスタンドから構成し、同様に上部センター頭部と遮蔽布の支える条から構成し、支え開スタンドは下部センター頭部をと広げる条から構成し、上部センター頭部上に下向き運行のロープ牽引機関に接続させるによる牽引ロープ端下部センター頭部の中部のビアホール下に着こなし。このようなテント構造が折り畳み式の傘のように自分の思うようになる、簡単な操作や使用便利の特徴である。だが、この構造のロープ牽引機構の牽引端で下部センター頭部の下方のスルーホールに設置されの原因でテントが放とき下で操作しなければならないので、小柄な人のアームの長さが十分に辿り着けない為、操作時にも同様に不便、そしてこの放方式が片手でテントの下部センター頭部に押し上げるのが必要で、これはテント骨格や遮蔽布の重さ相当の力を支える操作が必要なので、女性や子供など力が小さいの人々にとって、このような操作が大きな困難になる。
【先行技術文献】
【特許文献】
【０００３】
【特許文献１】中国特許番号02278921.9号公報
【特許文献２】中国特許番号200480044282.X号公報
【発明の概要】
【発明が解決しようとする課題】
【０００４】
本発明の解決しようとする課題は、より省力かつ収納及び解放の操作がしやすく、特に小型で少ない力での人操作性が達成されたより便利な改良式簡易テントを提供することである。
【課題を解決するための手段】
【０００５】
本発明の技術問題を解決するように改良式簡易テントは、骨格及び骨格を覆う骨格外面の遮蔽布を含み、その骨組みは、傘型ブラケットと広げブラケット（アンフォールデイングブラケット）を含み、傘型ブラケットは上部センター頭部と上部センター頭部周辺にめぐるそれに連結する遮蔽布を支える条（支持ストリップ）から構成され、広げブラケットとは下部センター頭部と下部センター頭部の周辺をめぐって連結する広げ支え条から構成し、各広げ支え条の外端と遮蔽布上部の支え条に連結、述べた上、下のセンター頭部の間に上部センター頭部から下部センター頭部に運行のロープ牽引機構が設置され、その特徴は、下部センター頭部の側壁にスルーホールが配置され、前記ロープ牽引機構の牽引ロープの端を上・下部センター頭部の内部を通過しその後、下部センター頭部の側壁のスルーホールから出ていく。
【０００６】
本発明はさらに具体的には；下部センター頭部の中心にスクロールホイールを設置され、前記ロープロープ牽引機構の端に上部センター頭部内固定し、一方の端に上部センター頭部の下部に着た後、更に次の下部センター頭部の上方に回った後は同スクロールホイールを通過し、その後下部センター頭部の側壁の上のスルーホールから出ていく。
【０００７】
本発明はさらに具体的には；下部センター頭部の中心にスクロールホイールを設置され、上部センター頭部内に動滑車をロープで迂回し、前記ロープ牽引機構のロープの一端を下部センター頭部上で固定され、もう一方の端を上部センター頭部内に上向きで動滑車を迂回し、また下向きに上部センター頭部の下部を通過し、最後に下部センター頭部の上方から回って内部のスクロールホイールを通し、下部センター頭部の側壁の上のスルーホールから出ていく。
【０００８】
本発明はさらに具体的には；上部センター頭部内に回るの二つロープの動滑車と分別回るの二つの動滑車のロープを設置し、下部センター頭部にロープの一端を固定され、もう一方の端に上部センター頭部内の動滑車を上向きで迂回し、また、上部センター頭部の下部で下向きにて通過し、また下部センター頭部の上方に通った後、その内部のスクロールホイールを迂回し、下部センター頭部の側壁のスルーホールから出ていく。
【０００９】
本発明はさらに具体的には；下部センター頭部の側壁上に相対的な二つのスルーホールと2つのスクロールホイールを設置し、前記ロープの一端を下部センター頭部上に固定され、もう一方の端を上部センター頭部内の動滑車を上向きにて迂回し、また上部センター頭部の下部に下向きにて通過し、最後に下部センター頭部の上方後2つの方向にスクロールホイールを迂回し、それぞれ下部センター頭部の側壁の上の各1つのスルーホールから出ていく。
【００１０】
本発明はさらに具体的には；前記下部センター頭部の下方に伸びた握持部があり、前記握持部の外周部に環状の凸を設置され；述べた通りに上部センター頭部の底部に下向きの凸頭も設置されており、下部センター頭部の上蓋には同凸頭相アダプタの凹槽を設置された。
【００１１】
本発明は別一種の案を採用して同じ目的実現の発明具体的には、前記下部センター頭部の中心にロープスライドレールを設置し、前記ロープ機構のロープ牽引の端を上部センター頭部内に固定され、もう一方の端に上部センター頭部の下部に着た後に、更に下部センター頭部の上部を通った後、このロープスライドレールを迂回し、その後下部センター頭部の側壁のスルーホールから出ていく。
【発明の効果】
【００１２】
既存技術に比べて、本発明は；下部センター頭部内にスクロールホイールを増加し、そして側壁上にビアホールを開設し、ロープ牽引引方向を変え、テントを下ろす時に操作者がテントの下での操作に変わって側面で操作をできるようになり、操作者の身長やアーム長が制限されない、また側面の牽引ロープの力を受け方式を採用しと放テント時にテントの遮蔽布や骨格を支えなくても操作できるので少ない力で可能になり、女性や力の小さい人も気軽に操作可能となった。下部のセンター頭部の下握持には、引張ロープが設置されているのでもっと便利に下部センター頭部で握持とテントを開ける時に更に省力が達成される。またテントの収納にプルダウンの役割、テントを収納したい時テントの同握持部を握った後、下向きに引張ると上、下部センター頭部を迅速に分け、下部センター頭部を支える条構造を片付けられるので、テントの収納もさらに省力便利となった。
【発明を実施するための形態】
【００１３】
実施例１
参照図１〜図５は、本発明改良式簡易テントの全体の構造から案内図と引き締めから広げ状態の過程の案内図、前記改良式簡易テントの骨格と覆われている骨格外面の遮蔽布を含む（図中の未表示）、骨組とは広げた傘型の骨組みの遮蔽布のブラケットとスタンドの内側にある傘型を広げる傘型のテントに広げブラケット（アンフォールデイングブラケットともいう）を含み、傘型ブラケットの上部センター頭部1とめぐって上部センター頭部1それに連結の遮蔽布周囲支え条（支持ストリップという）3から構成し、広げブラケットは下部センター頭部2と下部センター頭部2の周囲に巡る広げ支え条（アンフォールデイング支持ストリップともいう）4から構成し、各支え条4の外端と遮蔽布支え条3の上部に連結し、上部センター頭部1の底に下向きの凸頭5、下部センター頭部2の上蓋にその凸頭5にアダプタの凹槽6を設置、前記の下部センター頭部の中心にスクロールホイール21を設置、その側壁にビアホール（スルーホールともいう）22を併設、下部センター頭部の間に上部センター頭部1を下向きに下向き下部センター頭部2運行メカニズムの牽引ロープを設置、上部センター頭部1内に二つのロープの動滑車を迂回11と二つのロープ7、ロープ牽引機構にロープの一端7を固定し、下部センター頭部上2で、もう一方の端に上部センター頭部にそれぞれ迂回1内の動滑車11後、また上部センターの頭部に下向きにて1の下部凸頭5通過し、また下部センター頭部2の上蓋をした後その内部のスクロールホイール21を通過し,下部センター頭部2の側壁上の側にビアホール22、前記下部センター頭部2の下方に下向きの伸びる握持部23は、引張ロープ時には下部センター頭部2もっと便利に掴むテントを開ける時更に省力させる；同時に同握持部でテントを収まるとき23テント収納ときの下向き引くの取っ手の役割とし、テントを収納したいと思う時握持部を掴めさえあれば同23後下向きに曳きと迅速に上、下部センター頭部に分け、テントの下部センター頭部2及び相応のささえ条4の構造を片付けられるとテントの使用さらに省力便利。
【００１４】
本発明でロープを7底部から牽引引張の垂直の発力方式で側面ビアホールを変え22後の横向きにて牽引の発力方式で行う、テント放に必要な力が大幅に減少し、いろんな人に使いやすくなる。
【００１５】
また本発明は下記のことを採用して他の実施例で実現する：
【００１６】
実施例２：図6に示すように、本発明は採用に上部センター頭部内の動滑車のプログラムを省く1、上記のロープを牽引機構のロープ7その一端で上部センター頭部に直接固定1、もう一方の端に上部センター頭部の下部1に着た、更に下部センター頭部2を抜けて上蓋をその内部のスクロールホイール21を通過し、更に下部センター頭部の側壁のスルーホールから出ていく21。本実施例の中で、上部センター頭部1内の動滑車足りない為に、必要以上の力が操作しなければならない、既存の技術に比べて、ロープの牽引方式を側面にへ変更すると低くあるいは弱い女性に便利な操作になる、同時に操作にもいくつかの力を節約になる。
【００１７】
実施例３：本発明も、上部センター頭部に内の動滑車21一つに変え、同時に迂回した同動滑車21のロープ7単根に変え、ほかの構造を維持し、同じ本発明の目的を実現することができて。
【００１８】
実施例４：本発明は下部センター頭部2の側壁上で二つのスルーホール割合に設置22と2つのスクロールホイール21、ひと組ロープ7一端をもとのままで下部センター頭部に固定2上、もう一方の端を上部センター頭部に上向き迂回し1内の動滑車11後、再び下向きに上部センター頭部に1の下部、また下部センター頭部2の上蓋後二つ方向と別れて一つのスクロールホイールにそれぞれを迂回し21その後、それぞれ下部センター頭部を通過し2の側壁上に各1つのスルーホール22。このような構造を採用し、スルーホール22片側に設置、ロープにを引張ときテントがえこひいき応力の揺れがしやすいの操作影響の問題を減少。
【００１９】
実施例５：図7は同時に、本発明は下部センター頭部の中心にロープスライドレールを設置210、代かわりに上記各実施例の中の各スクロールホイール21、上部センター頭部内にロープロープ牽引機構の一端固定、もう一端に上部センター頭部の下部に着た後、更に次の下部センター頭部の上部に着た後このロープをスライドレールに迂回し210後、下部センター頭部の側壁のスルーホールから出ていく、スクロール輪の仕組み採用により省力だと言うけれども同じ本発明の目的実現できる。
【図面の簡単な説明】
【００２０】
【図１】本発明改良式簡易テント実施例１の全体の構造の見取り図。
【図２】本発明改良式簡易テント実施例の上、下部センター頭部の組立構造分解見取り図。
【図３】本発明改良式簡易テント実施例で締め時の構造の見取り図。
【図４】本発明改良式簡易テント実施例１半を広げた時の構造の見取り図。
【図５】本発明改良式簡易テント実施例で完全に広げ時の構造の見取り図。
【図６】本発明改良式簡易テント実施例２の構造の見取り図。
【図７】本発明改良式簡易テント実施例５の構造の見取り図。
【図１】
2015518099.tif 000003
【図２】
2015518099.tif 000004
【図３】
2015518099.tif 000005
【図４】
2015518099.tif 000006
【図５】
2015518099.tif 000007
【図６】
2015518099.tif 000008
【図７】
2015518099.tif 000009
【国際調査報告】
2015518099.tif 000010
2015518099.tif 000011
2015518099.tif 000012
2015518099.tif 000013
2015518099.tif 000014
2015518099.tif 000015